(57)【要約】      （修正有）【課題】簡便な方法で使用者が液体を保持する部材を着脱することが出来、有効成分を確実且つ継続的に吸入できる認知症予防、改善方法及び認知症予防、改善に用いるマスクを提供する。【解決手段】顔面に着用して鼻及び口を覆うように用いるマスクであって、鼻及び口を覆うマスク本体部１と、マスク本体部の両側から延出して、着用者の耳に引っ掛けられる一対の耳掛け部とを備え、マスク本体部には液体を保持する部材を収納する袋状部２を備え、袋状部は上部に液体を保持する部材を挿入する開口部を有し、且つ袋状部及び液体を保持する部材は上部の横幅に対して下部の横幅が相対的に異なるように設定されており、袋状部に少なくともレモングラスから抽出したセルエキストラクトを含有する液体を保持する部材を挿入する。【選択図】図２
2019131897.tif 000002
【特許請求の範囲】
【請求項１】
顔面に着用して鼻及び口を覆うように用いる衛生マスクであって、
着用者の少なくとも鼻及び口を覆うマスク本体部と、
該マスク本体部の両側から延出して、着用者の耳に引っ掛けられる一対の耳掛け部とを備え、
該マスク本体部には液体を保持する部材を収納する袋状部材を備え、
該袋状部材は上部に液体を保持する部材を挿入する開口部を有し、
且つ該袋状部材及び該液体を保持する部材は上部の横幅に対して下部の横幅が相対的に異なるように設定されていることを特徴とする、
衛生マスク。
【請求項２】
該液体を保持する部材を収納する袋状部材は該マスク本体部中央付近に設けられ、
鼻腔から効率よく匂いを嗅ぎやすく配置されていることを特徴とする、
請求項１記載の衛生マスク。
【請求項３】
該液体を保持する部材を収納する袋状部材は、
該マスク本体部の中央部に設置され、
口にあたる部分には複数の孔があり、
口からの呼吸を容易にするよう配置されていることを特徴とする、
請求項１記載の衛生マスク。
【請求項４】
該液体を保持する部材を収納する袋状部材は、
略三角形或いは略台形の形状であることを特徴とする、
請求項１乃至３の何れか一に記載の衛生マスク。
【請求項５】
該液体を保持する部材を収納する袋状部材は、
マスク本体部に一体的に形成されていることを特徴とする、
請求項１乃至４の何れか一に記載の衛生マスク。
【請求項６】
該マスク本体部は、
不織布により形成されていることを特徴とする、
請求項１乃至５の何れか一に記載の衛生マスク。
【請求項７】
該マスク本体部には、
通気を促進する複数の孔が形成されていることを特徴とする、
請求項１乃至６の何れか一に記載の衛生マスク。
【請求項８】
該マスク本体部には、
口に当たる部分に呼吸をしやすくするための複数の孔が形成されていることを特徴とする、
請求項１乃至７の何れか一に記載の衛生マスク。
【請求項９】
該液体を保持する部材は、
繊維素材或いは吸水性高分子素材であることを特徴とする、
請求項１乃至８の何れか一に記載の衛生マスク。
【請求項１０】
該液体を保持する部材に保持される液体は、
水に揮発性の薬効成分を加えたものを用いたことを特徴とする、
請求項１乃至９の何れか一に記載の衛生マスク。
【請求項１１】
該液体を保持する部材に保持される液体に含まれる薬効成分は、
抗アレルギー剤であることを特徴とする、
請求項１０記載の衛生マスク。
【請求項１２】
該液体を保持する部材に保持される液体に含まれる薬効成分は、
抗ヒスタミン剤であることを特徴とする、
請求項１０記載の衛生マスク。
【請求項１３】
該液体を保持する部材に保持される液体に含まれる薬効成分は、
アロマテラピーと異なり植物本来の匂いであることを特徴とする、
請求項１０記載の衛生マスク。
【請求項１４】
該液体を保持する部材に保持される液体に含まれる薬効成分は、
セルエキストラクトであることを特徴とする、
請求項１３記載の衛生マスク。
【発明の詳細な説明】
【技術分野】
【０００１】
本発明は、セルエキストラクトを応用した認知症予防方法及びロマセラピーを応用した認知症予防に用いられるレモングラス、グレープフルーツ、レモンのセルエキストラクトの匂いを吸入するための含水部材を収納可能なマスクに関するものである。
【背景技術】
【０００２】
昨今、我が国に於いては高齢化が進み、それに伴って認知症の増加が社会問題となっている。
【０００３】
ここで、植物から抽出された芳香成分或いは精油等が様々な精神的な効果を示すことが知られており、その中でレモングラスから抽出された成分が認知症予防と改善に有効であることが知られるようになった。かかる効果に関する臨床研究は筆者らにより実施されている。
【先行技術文献】
【特許文献】
【０００４】
【特許文献１】特開２０１２ー０６２３７４号公報
【特許文献２】国際公開第２０１５／０２５９０２号公報
【発明の概要】
【発明が解決しようとする課題】
【０００５】
セルエキストラクトを応用した認知症予防方法に用いられるマスクにおいて、有効成分を確実且つ継続的に吸入できる形態が求められていた。これにより、高機能なセルエキストラクトを応用した認知症予防方法が実現されることが期待される。
【課題を解決するための手段】
【０００６】
本発明は、セルエキストラクトを応用した認知症予防方法及びそれに用いるマスクであって、少なくともレモングラスから抽出した成分を含むセルエキストラクトを吸入するためのマスクを用い、該マスクは顔面に着用して鼻及び口を覆うように用いるマスクであって、着用者の少なくとも鼻及び口を覆うマスク本体部と、該マスク本体部の両側から延出して、着用者の耳に引っ掛けられる一対の耳掛け部とを備え、該マスク本体部には液体を保持する部材を収納する袋状部材を備え、該袋状部材は上部に液体を保持する部材を挿入する開口部を有し、且つ該袋状部材及び該液体を保持する部材は上部の横幅に対して下部の横幅が相対的に異なるように設定されており、該マスクの袋状部材に少なくともレモングラスから抽出した成分を含むセルエキストラクトを含有する液体を保持する部材を挿入し、１日２時間程度嗅ぐことで認知症を予防改善する、認知症予防方法及び認知症予防に用いるマスクである。
【０００７】
また本発明は、該液体を保持する部材を収納する袋状部材が該マスク本体部中央付近に設けられ、鼻及び／又は口に当たる部分は小さな穴が開いており、呼吸をしやすく又、腹式呼吸を促すように配置されていることを特徴とする。
【０００８】
また本発明は、該液体を保持する部材を収納する袋状部材が複数備えられており、該マスク本体部の中央部以外の部分に左右対称に設けられ、鼻及び口を覆わないように配置されていることを特徴とする。
【０００９】
また本発明は、該液体を保持する部材を収納する袋状部材が、略三角形或いは略台形の形状であることを特徴とする。また本発明は、該液体を保持する部材を収納する袋状部材がマスク本体部に一体的に形成されていることを特徴とする。
【００１０】
また本発明は、該マスク本体部が、不織布により形成されていることを特徴とする。さらに本発明は、該マスク本体部に通気を促進する複数の孔が形成されていることを特徴とする。さらに本発明は、該マスク本体部に横方向に襞状の折り返しが形成されていることを特徴とする。
【００１１】
また本発明は、該液体を保持する部材が繊維素材或いは吸水性高分子素材であることを特徴とする。
【００１２】
また本発明は、該液体を保持する部材に保持される液体が水に揮発性の薬効成分を加えたものを用いたことを特徴とし、さらに、該液体を保持する部材に保持される液体に含まれる薬効成分が少なくともレモングラスから抽出した精油を含み、 該レモングラスから抽出した成分は、レモングラスをして得られる抽出液を用いたことを特徴とする。
【００１３】
また本発明は、該レモングラスをそのまま低温真空管乾燥機に入れて３５度前後で固形分と水分に分離したものを用いたことを特徴とする。
【００１４】
また本発明は、廃棄分がなく低温処理のため本来の匂いが残ることに利点がある。
【発明の効果】
【００１５】
本発明に係る認知症予防、改善方法及び認知症、改善予防に用いるマスクは、簡便な方法で使用者が液体を保持する部材を着脱することが出来、有効成分を確実且つ継続的に吸入できる認知症予防、改善方法及び認知症予防、改善に用いるマスクを提供することができる。
【図面の簡単な説明】
【００１６】
【図１】図１は、本発明に係る衛生マスクの一例の表面の例を示す図面代用写真である。
【図２】図２は、本発明に係る衛生マスクの一例に於ける裏面（顔に接する面）の構成例を示す図面代用写真である。
【発明を実施するための形態】
【００１７】
以下、本発明に係る専用マスクを図面を用いて説明する。本発明は、セルエキストラクトを応用した認知症予防、改善方法及びそれに用いるマスクであって、少なくともレモングラスから抽出したセルエキストラクトを吸入するためのマスクを用い、該マスクは顔面に着用して鼻及び口を覆うように用いるマスクであって、着用者の少なくとも鼻及び口を覆うマスク本体部と、該マスク本体部の両側から延出して、着用者の耳に引っ掛けられる一対の耳掛け部とを備え、該マスク本体部には液体を保持する部材を収納する袋状部材を備え、該袋状部材は上部に液体を保持する部材を挿入する開口部を有し、且つ該袋状部材及び該液体を保持する部材は上部の横幅に対して下部の横幅が相対的に異なるように設定されており、該マスクの袋状部材に少なくともレモングラスから抽出したセルエキストラクトを含有する液体を保持する部材を挿入し、継続的に該成分を吸入することを特徴とする、認知症予防、改善方法及び認知症予防、改善に用いるマスクである。
【００１８】
また本発明は、該液体を保持する部材を収納する袋状部材は該マスク本体部中央付近に設けられ、鼻腔から効率よく匂いを嗅ぎやすく配置されていることを特徴とする。
【００１９】
また本発明は、該液体を保持する部材を収納する袋状部材が該マスク本体部の中央部に設置され、口にあたる部分には複数の孔があり、口からの呼吸を容易にするよう配置されていることを特徴とする。
【００２０】
また本発明は、該液体を保持する部材を収納する袋状部材が、略三角形或いは略台形の形状であることを特徴とする。また本発明は、該液体を保持する部材を収納する袋状部材がマスク本体部に一体的に形成されていることを特徴とする。
【００２１】
また本発明は、該マスク本体部が、不織布により形成されていることを特徴とする。さらに本発明は、該マスク本体部に通気を促進する複数の孔が形成されていることを特徴とする。さらに本発明は、該マスク本体部に横方向に襞状の折り返しが形成されていることを特徴とする。
【００２２】
また本発明は、該液体を保持する部材が繊維素材或いは吸水性高分子素材であることを特徴とする。
【００２３】
かかる構成により、簡便な方法で使用者が液体を保持する部材を着脱することが出来、有効成分を確実且つ継続的に吸入できる認知症予防、改善方法及び認知症予防、改善に用いるマスクを提供することができる。
【００２４】
また本発明は、該液体を保持する部材に保持されるセルエキストラクトに精油の薬効成分を加えたものを用いたことを特徴とし、さらに、セルエキストラクトを保持する部材に保持される液体に含まれる薬効成分が少なくともレモングラスから抽出したセルエキストラクトで、 該レモングラスから抽出した成分は、レモングラスを低温真空乾燥機による処理により得られる抽出液を用いたことを特徴とする。
【００２５】
また本発明は、該レモングラスをそのまま低温真空乾燥する工程が、レモングラス及び抽出液が摂氏３５度前後の範囲でとなるように制御して行われることを特徴とする。
【００２６】
また本発明は、該レモングラスを水分と固形分に分離してそれぞれを有効に用いるため、廃棄が生じないという利点がある。
【００２７】
また本発明は、該レモングラスを生のまま低温真空管乾燥機に投入後、真空管の中で
回転、粉砕し水分と固形分に分離することを特徴とする。
【００２８】
かかる工程により抽出されたレモングラス抽出液はその認知症予防効果、改善が実証されており、非常に有効である。
【実施例１】
【００２９】
図１は、本発明に係る認知症予防、改善方法に用いるマスクの一例の表面の例を示す図面代用写真である。なお、本図では着用者の耳に引っ掛けられる一対の耳掛け部は省略して記載している。本実施例に於いては、着用者の少なくとも鼻及び／又は口を覆うマスク本体部１には高密度ポリエチレン不織布を用いた。ここで、マスク本体部は通気性のある素材であれば問題なく使用することが出来る。
【００３０】
本体部には、三段の横方向の襞状の折り返しを形成した。ここで、襞状の折り返しは一段或いは多段何れでもよく、或いは襞状の折り返しを形成しなくても問題ない。また、マスク本体部に通気を促進する複数の孔を形成してもよい。さらに、該液体を保持する部材を収納する袋状部材が該マスク本体部の中央部に設置され、口にあたる部分には複数の孔があり、口からの呼吸を容易にするよう配置することも有効である。
【００３１】
図２は、本発明に係る衛生マスクの一例に於ける裏面（顔に接する面）の構成例を示す図面代用写真である。裏面には液体を保持する部材を収納する袋状部材２を備えた。ただし、収納部が折り返しにより一部しか見えていない。かかる部材に液体を保持する部材を収納して用いる。
【００３２】
本実施例に於いては、液体を保持する部材に保持される液体にセルエキストラクトを用いた。具体的には水にレモングラスを低温真空管乾燥機に投入し、真空管の中で回転、粉砕し水分と固形分にしたものをもちいることが特徴ある。これにより、顕著な認知症予防、改善効果が得られた。
【００３３】
ここで、袋状部材及び液体を保持する部材は上部の横幅に対して下部の横幅が相対的に小さく設定されていればよく、本実施例のような略三角形のみならず略台形や半円形などの他の形状であっても問題ない。
【実施例２】
【００３４】
次に、他の実施例として、液体を保持する部材を収納する袋状部材をマスク本体部の中央部以外の部分に左右対称に複数備え、鼻及び口を覆わないように配置した。本実施例に於いては液体を保持する部材を２個用いたが、４個にする等でも問題ない。本実施例の形態は、湿潤な部材で鼻及び口を覆うことによる呼吸への影響をなくしつつ、吸入効果を得たい場合に有効であった。
【実施例３】
【００３５】
次に、他の実施例として、該液体を保持する部材を収納する袋状部材がマスク本体部に一体的に形成されているものを作成した。
【００３６】
かかる構成は、本発明にかかるマスクの製造工程を簡略化し、コストダウンに有効であった。
【産業上の利用可能性】
【００３７】
本発明に係る認知症予防、改善方法及び認知症予防、改善に用いるマスクは、簡便な方法で使用者が液体を保持する部材を着脱することが出来、有効成分を確実且つ継続的に吸入できる認知症予防方法及び認知症予防に用いるマスクを提供することができ、公衆衛生に寄与するとともに新たなマーケットを創出し我が国産業の発展に寄与することが出来る。
【符号の説明】
【００３８】
１    着用者の少なくとも鼻及び口を覆うマスク本体部
２    液体を保持する部材を収納する袋状部材の収納部
【図１】
2019131897.tif 000003
【図２】
2019131897.tif 000004